(57)【要約】【課題】経済的かつ安全なヘッドハウジングを提供する。【解決手段】グリップスリーブ（２）と、グリップスリーブ（２）の前端部に配置されている、処置器具（４）を収容ないしは保持するためのヘッドハウジング（９）とを有する歯科医師用ハンド器具（１）において、ヘッドハウジング（９）が、実質的に円筒形状の中空室（７）を有し、前記中空室が少なくとも１つの接続孔（１０、２０）を介して、グリップスリーブ（２）を向いた接続領域と接続されており、接続孔（１０、２０）がその、グリップスリーブ（２）を向いた端部において、グリップスリーブ（２）を通って延びる媒体導管（５０）と結合されており、かつヘッドハウジング（９）の、中空室（７）を包囲する内壁（８）が、切り欠き（１１、２１）を有し、前記切り欠き内へ接続孔（１０、２０）が連通している。【選択図】図１
2016059805.tif 000002
【特許請求の範囲】
【請求項１】
グリップスリーブ（２）と、グリップスリーブ（２）の前端部に配置されている、処置器具（４）を収容または保持するためのヘッドハウジング（９）とを有する歯科医師用ハンド器具（１）であって、
前記その場合にヘッドハウジング（９）が、実質的に円筒形状の中空室（７）を有し、前記中空室が少なくとも１つの接続孔（１０、２０）を介して、グリップスリーブ（２）を向いた接続領域と接続されており、かつ
前記その場合に接続孔（１０、２０）がその、グリップスリーブ（２）を向いた端部において、グリップスリーブ（２）を通って延びる媒体導管（５０）と結合されている、
ハンド器具において、
前記ヘッドハウジング（９）の、前記中空室（７）を包囲する内壁（８）が、切り欠き（１１、２１）を有し、前記切り欠き内へ前記接続孔（１０、２０）が連通する
ことを特徴とする歯科医師用ハンド器具。
【請求項２】
前記接続孔（１０、２０）が、前記中空室（７）の長手軸（ｉ）に対して垂直に延びる平面に対して傾斜して方向付けされて
いることを特徴とする請求項１に記載の歯科医師用ハンド器具。
【請求項３】
前記切り欠き（１１、２１）が、三日月形状に形成されている
ことを特徴とする請求項１又は２に記載の歯科医師用ハンド器具。
【請求項４】
前記切り欠き（１１、２１）が、リング状または部分リング状に形成されており、内壁領域（８）の周面全体にわたって延びている
ことを特徴とする請求項１又は２に記載の歯科医師用ハンド器具。
【請求項５】
前記ヘッドハウジング（９）の前記中空室（７）内に、挿入片が配置されており、
前記挿入片が媒体通路を有し、
前記媒体通路が前記切り欠き（１１、２１）と接続されている
ことを特徴とする請求項１から４のいずれか１項に記載の歯科医師用ハンド器具。
【請求項６】
前記切り欠き（１１、２１）の高さが、付属の媒体通路の高さに相当する
ことを特徴とする請求項５に記載の歯科医師用ハンド器具。
【請求項７】
前記ヘッドハウジング（９）が複数の接続孔（１０、２０）を有し、前記接続孔がそれぞれ、
前記ヘッドハウジング（９）の内壁領域（８）内に形成された前記切り欠き（１１、２１）内ヘ連通する
ことを特徴とする請求項１から６のいずれか１項に記載の歯科医師用ハンド器具。
【請求項８】
処置器具（４）を収容または保持するための、歯科医師用ハンド器具（１）のためのヘッドハウジング（９）であって、
前記ヘッドハウジング（９）が、実質的に円筒状の中空室（７）を有し、前記中空室が少なくとも１つの接続孔（１０、２０）を介して、ハンド器具（１）のグリップスリーブ（２）を向いた接続領域と接続されている、
ヘッドハウジングにおいて、
前記ヘッドハウジング（９）の、前記中空室（７）を包囲する内壁領域（８）が切り欠き（１１、２１）を有し、前記切り欠き内へ接続孔（１０、２０）が連通している
ことを特徴とする歯科医師用ハンド器具のためのヘッドハウジング。
【発明の詳細な説明】
【技術分野】
【０００１】
本発明は、請求項１の前文に記載された歯科医師用ハンド器具に関するものであって、そのハンド器具はグリップスリーブとグリップスリーブの前端部に配置された、処置器具を収容ないしは保持するためのヘッドハウジングとを有している。
本発明は、さらに、歯科医師用ハンド器具のための然るべきヘッドハウジングに関する。
ハンド器具とヘッドハウジングは、処置媒体、清掃媒体又は冷却媒体を放出するように形成されている。
【背景技術】
【０００２】
患者の口腔内で処置を実施するための多数のハンド器具は、通常、たとえば歯の加工を補って、清掃目的又は冷却目的のために使用される媒体も放出するように、設計されている。この媒体は、空気、水あるいはスプレイの形式の空気−水−混合物である。
【０００３】
この種類の歯科医師用ハンド器具は、通常、ヘッド領域を備えたグリップスリーブを有しており、そのヘッド領域が処置器具、たとえば歯科医師用ドリル、を収容ないし保持するために形成されている。ここで、媒体は、ドリルによって加工すべき歯表面に向けられるようにして放出される。そのために、ヘッドハウジングの下方の領域内には、通常、いわゆるスプレイカバー又はスプレイ挿入片が配置されている。それは、リング形状の構成部品であって、それがヘッドハウジングの円筒形状の中空室内に取り付けられ、かつ媒体導管を有し、その媒体導管が対応する排出開口部へ連通している。ここで、スプレイ挿入片の媒体導管は、ハンド器具とヘッドハウジングとを通って延びる、対応する媒体導管と流体接続されている。
【０００４】
通常、歯科医師の処置に使用される、いわゆるアングル片、すなわち、ヘッドピース、の長手軸、すなわち、たとえばドリルの方向付けを定める長手軸が、グリップスリーブの長手軸に対して屈曲して配置されている、ハンド器具においては、通常、圧縮空気と水のために２つの媒体導管が設けられており、それらが少なくともグリップスリーブに沿って延びて、ヘッドハウジング内の２つの孔へ連通している。ここで、シールは、たとえばヘッドハウジングの孔または媒体導管のジャケット面に添接する、弾性的な構成部品によって行われる。２つの媒体導管から提供される媒体をさらに案内することは、通常、互いに独立してさらに延びる結合孔を介して行われ、その結合孔が、グリップスリーブを通る媒体導管が連通する接続孔をヘッドハウジングの内部の幾何学配置と結合する。ここで、ヘッドハウジングは、通常、実質的に円筒形状の内部の中空室を有し、その中空室が、ドリルのための駆動コンポーネントとホルダを収容するために用いられ、かつその中空室内に上で述べたスプレイカバーも配置されている。したがってヘッドハウジングを貫通してさらに延びる孔が、ヘッドハウジングの内部領域内で、ヘッドハウジング内へ挿入されたスプレイカバーないしスプレイ挿入片の大体において一周する媒体通路へ移行するように、開口している。
【０００５】
上述した状況が、図５から図７に示されており、これらの図は従来技術から知られた解決に基づくヘッドハウジング１００の形態を示している。ハンド器具の図示されないグリップスリーブを通って延びる媒体導管１１０と１２０の端部領域が見られ、それらはそれぞれヘッドハウジング１００の付属の接続孔１１５ないし１２５内へ連通している。さらに、導管とヘッドハウジング１００の接続領域との間に然るべき密な接続を可能にするために、媒体導管１１０、１２０の前方の端部に、一周するシール１１２、１２２を備えた接続部材１１１、１２１が配置されていることが、見られる。
【０００６】
これらの接続孔１１５ないし１２５から始まって、然るべき接続孔１１６ないし１２６が延びており、それらはヘッドハウジング１００の内側の円筒状の収容領域内へ連通している。さらに、この内部領域内に配置されたスプレイ挿入片１３０が示されており、そのスプレイ挿入片は２つの一周するリング形状の溝または切り込み１３１と１３２を有しており、それらが一周する媒体通路を形成し、その媒体通路が横結合孔１１６及び１２６と結合されている。すなわち、横結合孔１１６と１２６はそれぞれ、２つの対応する一周する溝１３１と１３２のいずれかに連通するように、形成されている。適切なシール部材によって密封されている、これらの一周する溝１３１、１３２は、その後、図示されない排出開口部内へ連通し、その排出開口部を介して媒体が個々に、あるいは空気−水−混合物として、したがってスプレイとして、放出される。そのために、排出開口部はスプレイ挿入片１３０の下側において、ドリル又は工具を中心に分配して配置されている。
【０００７】
図５から図７を参照すると認識できるように、媒体通路を形成する、スプレイ挿入片１３０の２つの一周する溝１３１、１３２は、異なる平面に配置されている。したがってこれらの溝１３１、１３２へ通じる横結合孔１１６と１２６は、必然的に−少なくともここから−ヘッドハウジング１００の内側の中空室の内表面に比較して傾斜して形成されなければならない。これは、表示に従って下方の溝１３１へ通じる、横結合通路１１６に該当する。
【０００８】
横結合通路１１６の角度位置の結果として、この孔１１６の流出箇所に楕円形の開口部が生じ、その開口部は必然的にヘッドハウジングの軸方向において孔直径自体よりも高くなる。したがって一周する媒体通路１３１の幅は、結合孔１１６のこの楕円形の流出開口部の高さに適合されなければならず、それは、ヘッド領域１００を形成する場合に構造的により高い手間を必要とする。
【０００９】
その場合に考慮しなければならないのは、最適な媒体供給は、結合孔の横断面が媒体の様々な支配的圧力条件にも、機能的に重要な構成要素周辺の構造的な設計にも適合される場合にしか、保証できないことである。したがって接続孔のための孔横断面を任意に縮小することは、不可能である。他方では、均一な媒体放出を保証するために、スプレイ挿入片の一周する媒体通路が、一周するウェブ又はもっと良好には然るべき弾性的な密閉する部材によって空間的にはっきりと互いに分離されることが、絶対的に必要である。
【００１０】
上述した要請は、すべて、歯科医師用ハンド器具のヘッド部分のためのより大きい組立高さを生じさせる。
【発明の概要】
【発明が解決しようとする課題】
【００１１】
本発明の目的は、従来知られた解決に比較して、特に図５から図７に示す従来技術に比較して、上で説明した欠点を少なくとも部分的に回避する、媒体をさらに案内するための改良された解決策を提供することである。
【課題を解決するための手段】
【００１２】
この目的は、請求項１の特徴を有する歯科医師用ハンド器具によって、そして請求項８に記載の歯科医師用ハンド器具のためのヘッドハウジングによって、解決される。本発明の好ましい形態が、従属請求項の対象である。
【００１３】
本発明に基づく解決策は、ヘッドハウジングの、接続孔が連通する領域内に、−たとえば溝の形式の−切り欠きを形成し、その切り欠きが、スプレイ挿入片の媒体通路への移行領域内で接続孔を拡幅する、という考えに基づいている。ここで、本発明に基づくこの切り欠きは、ヘッドハウジングの肉厚に従って、たとえば三日月形状の切り欠きとして、あるいはまた一周する切り込みとして、形成することができる。
【００１４】
したがって本発明によれば、グリップスリーブと、グリップスリーブの前端部に配置された、処置器具を収容ないし保持するためのヘッドハウジングとを有する歯科医師用ハンド器具が提案され、ここでヘッドハウジングが、実質的に円筒状の中空室を有し、その中空室が少なくとも１つの接続孔を介して、グリップスリーブを向いた接続領域と接続されており、かつ接続孔のグリップスリーブを向いた端部が、グリップスリーブを通って延びる媒体導管と接続されている。ヘッドハウジングの中空室を包囲する内壁領域が、少なくとも１つの切り欠きを有し、その切り欠き内へ接続孔が連通する。
【発明の効果】
【００１５】
以下で詳細に説明するように、本発明に基づく措置によって、ヘッドハウジングの組立高さを減少させることができ、それにもかかわらずハンド器具、特にヘッドハウジングは、経済的かつよりプロセス安全に形成することができる。
他の利点は、本発明に基づく解決において接続孔の直径は手つかずのままであり、したがってこれまでのように形成できることにある。本発明に基づく切り欠きを実現する場合に生じる大きい半径によって、媒体は一周する切り欠き内へ、したがってスプレイ挿入片の媒体導管内へ、層状に案内することができる。この均一な分配によって、媒体の流出箇所の領域内で生じるスプレイ混合物は、大きな圧力領域にわたって実質的に変化せず、一定のままとなる。
【００１６】
したがって最終的に、簡単に実施すべき措置によって得られる、多数の利点が生じる。
【図面の簡単な説明】
【００１７】
【図１】本発明に基づく歯科医師用ハンド器具を示す側面図である。
【図２】図１に示す歯科医師用ハンド器具のための、本発明に従って形成されたヘッドハウジングの内壁領域を示す図である。
【図３】図１に示す歯科医師用ハンド器具のための、本発明に従って形成されたヘッドハウジングの内壁領域を示す図である。
【図４】図１に示す歯科医師用ハンド器具のための、本発明に従って形成されたヘッドハウジングの内壁領域を示す図である。
【図５】歯科医師用ハンド器具の、従来技術から知られた形態を示している。
【図６】歯科医師用ハンド器具の、従来技術から知られた形態を示している。
【図７】歯科医師用ハンド器具の、従来技術から知られた形態を示している。
【発明を実施するための形態】
【００１８】
以下、添付の図面を参照して本発明を詳細に説明する。
【００１９】
図１に示すハンド器具１は、歯科医師用ドリルハンドピースであって、もちろん、本発明に基づく解決は、他の歯科医師用又は外科医用のハンド器具においても使用できることを、指摘しておく。
【００２０】
図示されるハンド器具１は、細長いグリップスリーブ２からなり、そのグリップスリーブは人間工学的理由からやや屈曲されており、かつそれによって歯科医による処置の改良を可能にする。前方の端部に、ヘッド領域３が設けられており、そのヘッド領域は隣接するグリップスリーブ２の他の領域に対してほぼ直角に方向付けされており、かつその内部に歯科医師用工具−この場合においては歯科医師用ドリル４−が収容されている。そのために、いわゆるコレットチャックが設けられており、必要に応じてその中へ歯科医師用ドリルを挿入して固定することができる。ここでドリル４ないしコレットチャックは、図示されない駆動システムを介して回転される。たとえばそのために、ヘッド領域３内にタービンを配置することができる。もちろん、ドリル４を電動機を介して駆動することも考えられ、ここでこの電動機はグリップスリーブ２の内部に配置し、あるいは別体のユニットとしてハンドピースに結合することもできる。ハンド器具１は、その後方の端部においてカップリング片５を介して、供給媒体と処置媒体、光及び／又は電気エネルギを供給するための供給ホース６と回転可能に接続されている。
【００２１】
回転するドリル４によって歯を処置する間に、摩擦によって熱が発生し、その熱は歯にとって有害であり得る。この理由から、処置の間に加工すべき箇所を冷却し、あるいはまた清掃することが、望ましい。そのために、流体の形式の媒体がドリル４へ向けられ、その媒体はヘッド領域３の下側において放出される。そのためにヘッド領域３の下側には、すでに述べたスプレイ挿入片が配置されており、そのスプレイ挿入片自体は、一方で、ハンド器具１のグリップスリーブ２を通って延びる少なくとも１つの媒体導管５０と接続されており、他方においては、少なくとも１つの出口を有しており、その出口を介して媒体Ｆがドリル４へ向けられている。この媒体は、空気、水あるいはスプレイの形式の空気−水−混合物である。この媒体は、清掃及び冷却の目的のために、加工すべき歯へ向けることができる。
【００２２】
媒体の原則的な伝達は、図５から図７に示され、かつ上で説明したような、従来技術から知られたハンド器具におけるのと同様に行われる。したがってグリップスリーブを通って延びる媒体導管５０は、ヘッドハウジング９へ通じており、その中で接続孔を通ってさらに延びて、その接続孔が、ほぼ円筒状の中空室へ通じており、その中空室内に、特に一周する通路を有するスプレイ挿入片が、−すなわち図５から７に示すように−配置されている。
【００２３】
従来の構成の、本発明に基づく変形ないし変更は、−図２から図４に示すように−接続孔１０と２０が直接中空室７内へ連通していないことにあり、その接続孔は、ヘッドハウジング９のグリップスリーブ２へ向いた接続領域を中空室７の内壁領域８と接続し、かつその接続孔の少なくとも１つは、長手軸Iに対して垂直に向けられた平面に治して傾斜して延びている。その代わりに、接続孔は、前もって、図２から図４に見られる切り欠き１１ないし２１によって拡幅されている。
【００２４】
これらの切り欠き１１、２１は、ヘッドハウジング９の長手軸Iに対して垂直な平面内に延びており、かつ内壁領域８に関して、接続孔１０、２０が直接この領域内へ連通する場合よりも、ずっと大きい周面にわたって延びている。それによって、図示の実施例においては、横断面で見て、切り欠き１１、２１のためのほぼ三日月形状が得られる。もちろん同様に、これらの切り欠き１１、２１が内壁８の全周面にわたって延びることも、考えられ、したがってその場合にはリング形状の切り込みが形成され、その場合に部分リングの形状も考えられる。
【００２５】
もちろん、切り欠き１１、２１又は切り込みは、スプレイ挿入片４０の適切に一周する切り込み４１（図４を参照）と対応するように、配置されている。したがってそれらは、軸方向に見て、スプレイ挿入片４０の一周する通路４１と同じ高さに配置されており、かつさらに好ましくは、同一の高さを有している。たとえば、それらは、適切に形成されたＴ溝フライスを用いて、ヘッドハウジング３内に簡単なやり方で形成することができる。もちろん、切り欠き１１、２１を実現するための他の方法、たとえば腐食又は除去も、考えられる。
【００２６】
切り欠き１１、２１が接続孔１０、２０を拡幅し、ないしは開けることによって、ヘッドハウジング３の組立高さを減少させることができる。すなわち、スプレイ挿入片の媒体通路への移行部は、もはや−少なくとも部分的に−傾斜して方向づけされた接続通路１０、２０によってではなく、切り欠き１１、２１によって定められる。したがって切り欠き１１、２１は、孔１０、２０に比較してより少ない高さを有することができ、そのことが最終的に意味するのは、スプレイ挿入片においても然るべき高さ減少を行うことでき、したがってハンド器具のヘッド領域３は、全体としてよりコンパクトに実現できることである。
【００２７】
それにもかかわらず、媒体の移行は最適化される。というのは、スプレイ挿入片への移行領域が拡大されることに基づいて、移行箇所における媒体のより均一な、かつそれに伴って圧力にあまり敏感でない分配が得られるからである。これもまた、スプレイ挿入片内の媒体のためのすべての排出開口部に、より均一、かつより良好に供給することができ、したがって全体として機能性が最適化されることを、意味している。この改良された移行は、その他において、付属の接続孔が傾斜しておらず、その代わりに軸Iとそれに伴って内側の中空室の表面に対して垂直に延びることによっても、得られる。したがって、いずれにせよ、本発明に基づく切り欠きを２つの接続孔において設けると、効果的である。
【００２８】
したがって最終的に、比較的簡単に実施すべき措置によって、歯科医師用ハンド器具のためのヘッドハウジングの特性を著しく改良することができる。特に、組立高さを減少させることができ、その場合にそれにもかかわらず、媒体をさらに案内することが改良される。その場合に特に強調すべきことは、これらの利点が、接続孔をその横断面に関してさらに減少させる必要なしに、得られることである。
【符号の説明】
【００２９】
１  歯科医師用ハンド器具
２  グリップリープ
７  中空室
８  内壁
９  ヘッドハウジング
１０、２０  接続孔
１１、２１  切り欠き
【図１】
2016059805.tif 000003
【図２】
2016059805.tif 000004
【図３】
2016059805.tif 000005
【図４】
2016059805.tif 000006
【図５】
2016059805.tif 000007
【図６】
2016059805.tif 000008
【図７】
2016059805.tif 000009